(57)【要約】  検査時に患者のプロファイル情報を利用可能とする。  ゲートウェイ装置３０は、ＲＩＳ２０から患者基本情報、撮影条件情報を含むモダリティワークリストを取得し、電子カルテシステム１０から感染症情報、身体障害情報、アレルギー情報等の患者プロファイル情報を取得する。そして、ゲートウェイ装置３０は、モダリティワークリストの中の患者コメント、検査コメント、検査記述のうちいずれかのＤＩＣＯＭタグに、取得された患者プロファイル情報を付加し、患者プロファイル情報が付加されたモダリティワークリストをコンソール４０に送信する。コンソール４０は、患者基本情報、撮影条件情報に加え、感染症情報、身体障害情報、アレルギー情報等を表示する。
2011083607.tif 000002
【特許請求の範囲】
【請求項１】
患者識別情報を含む患者固有の患者基本情報と、当該患者のプロファイル情報と、が対応付けられて格納されている電子カルテシステムとデータ通信可能に接続された医用情報処理装置であって、
前記患者基本情報と撮影条件情報とを含む、モダリティによる検査を依頼するための検査依頼情報を取得し、
当該取得された検査依頼情報から前記患者識別情報を抽出し、
当該抽出された患者識別情報に対応するプロファイル情報を前記電子カルテシステムから取得し、
前記取得された検査依頼情報に、前記取得されたプロファイル情報を付加する制御手段を備える医用情報処理装置。
【請求項２】
前記検査依頼情報は、ＤＩＣＯＭ規格に準拠したモダリティワークリストであり、
前記制御手段は、前記モダリティワークリストの中の患者コメント、検査コメント、検査記述のうちいずれかのＤＩＣＯＭタグに、前記取得されたプロファイル情報を付加する、
請求項１に記載の医用情報処理装置。
【請求項３】
前記プロファイル情報は、前記患者についての感染症情報、身体障害情報又はアレルギー情報を含む、
請求項１又は２に記載の医用情報処理装置。
【請求項４】
患者識別情報を含む患者固有の患者基本情報と、当該患者のプロファイル情報と、が対応付けられて格納されている電子カルテシステムとデータ通信可能に接続されたコンピュータを、
前記患者基本情報と撮影条件情報とを含む、モダリティによる検査を依頼するための検査依頼情報を取得する手段、
当該取得された検査依頼情報から前記患者識別情報を抽出する手段、
当該抽出された患者識別情報に対応するプロファイル情報を前記電子カルテシステムから取得する手段、
前記取得された検査依頼情報に、前記取得されたプロファイル情報を付加する手段、
として機能させるためのプログラム。
【発明の詳細な説明】
【技術分野】
【０００１】
本発明は、医用情報処理装置及びプログラムに関する。
【背景技術】
【０００２】
病院に設置されたモダリティ（撮影装置）では、診察医の指示による検査依頼情報に基づいて、患者の撮影が行われている。検査依頼情報には、患者固有の患者基本情報（患者ＩＤ、氏名、性別、生年月日等）や撮影条件情報（検査日時、部位、方向、左右、管電圧、管電流、機材等）が含まれる。【０００３】
診療放射線技師は、モダリティと接続されたコンソールというコンピュータの画面上で患者基本情報や撮影条件情報を参照し、モダリティを操作する。患者基本情報や撮影条件情報のうち一部の情報は、コンソールからモダリティに転送され、モダリティでは、これらの情報に基づいて撮影が行われる。【０００４】
病院内では、患者に関する様々な医療情報が必要とされる場合が多い。そこで、閲覧項目毎、患者毎、撮影日時毎のフォルダに医療情報を保管し、ネットワークに接続されたコンピュータ端末から医療情報を閲覧することができるようにした医療情報閲覧システムが提案されている（特許文献１参照）。
【先行技術文献】
【特許文献】
【０００５】
【特許文献１】特開２００１−７６０７８号公報
【発明の概要】
【発明が解決しようとする課題】
【０００６】
ところで、撮影対象の患者が感染症を患っている場合や、身体障害やアレルギーを有している場合には、診療放射線技師は、それぞれの場合に応じた撮影を行わなければならない。例えば、患者が感染症を患っている場合には、他者への感染の予防を図る必要があり、患者がアレルギーを有している場合には、使用する薬品等に注意を払う必要がある。【０００７】
しかし、患者についての感染症情報、身体障害情報、アレルギー情報等のプロファイル情報は、患者基本情報に含まれておらず、電子カルテシステムのみで管理されているため、診療放射線技師がコンソールを操作して撮影を行う際に、これらの情報を得ることは困難であった。【０００８】
本発明は上記の従来技術における問題に鑑みてなされたものであって、検査時に患者のプロファイル情報を利用可能とすることを課題とする。
【課題を解決するための手段】
【０００９】
上記課題を解決するために、請求項１に記載の発明は、患者識別情報を含む患者固有の患者基本情報と、当該患者のプロファイル情報と、が対応付けられて格納されている電子カルテシステムとデータ通信可能に接続された医用情報処理装置であって、前記患者基本情報と撮影条件情報とを含む、モダリティによる検査を依頼するための検査依頼情報を取得し、当該取得された検査依頼情報から前記患者識別情報を抽出し、当該抽出された患者識別情報に対応するプロファイル情報を前記電子カルテシステムから取得し、前記取得された検査依頼情報に、前記取得されたプロファイル情報を付加する制御手段を備える。【００１０】
請求項２に記載の発明は、請求項１に記載の医用情報処理装置において、前記検査依頼情報は、ＤＩＣＯＭ規格に準拠したモダリティワークリストであり、前記制御手段は、前記モダリティワークリストの中の患者コメント、検査コメント、検査記述のうちいずれかのＤＩＣＯＭタグに、前記取得されたプロファイル情報を付加する。【００１１】
請求項３に記載の発明は、請求項１又は２に記載の医用情報処理装置において、前記プロファイル情報は、前記患者についての感染症情報、身体障害情報又はアレルギー情報を含む。【００１２】
請求項４に記載の発明は、患者識別情報を含む患者固有の患者基本情報と、当該患者のプロファイル情報と、が対応付けられて格納されている電子カルテシステムとデータ通信可能に接続されたコンピュータを、前記患者基本情報と撮影条件情報とを含む、モダリティによる検査を依頼するための検査依頼情報を取得する手段、当該取得された検査依頼情報から前記患者識別情報を抽出する手段、当該抽出された患者識別情報に対応するプロファイル情報を前記電子カルテシステムから取得する手段、前記取得された検査依頼情報に、前記取得されたプロファイル情報を付加する手段、として機能させるためのプログラムである。
【発明の効果】
【００１３】
請求項１、４に記載の発明によれば、検査依頼情報にプロファイル情報が付加されるので、検査時に患者のプロファイル情報を利用することができる。【００１４】
請求項２に記載の発明によれば、モダリティワークリストの中の患者コメント、検査コメント又は検査記述のＤＩＣＯＭタグにプロファイル情報を付加することができる。【００１５】
請求項３に記載の発明によれば、検査時に患者についての感染症情報、身体障害情報又はアレルギー情報を利用することができる。
【図面の簡単な説明】
【００１６】
【図１】医用画像システムのシステム構成図である。
【図２】ゲートウェイ装置において実行される処理の概要を示す図である。
【図３】ゲートウェイ装置の機能的構成を示すブロック図である。
【図４】ワークアイテムの構成を示す図である。
【図５】ワークアイテムの詳細なデータ構成を示す図である。
【図６】コンソールの機能的構成を示すブロック図である。
【図７】医用画像システムにおいて実行される処理を示すラダーチャートである。
【図８】コンソールに表示されるコンソール画面の例である。
【発明を実施するための形態】
【００１７】
［医用画像システムのシステム構成］
以下、図面を参照して、本発明の実施の形態について説明する。
図１に、医用画像システム１００のシステム構成を示す。図１に示すように、医用画像システム１００は、電子カルテシステム１０と、ＲＩＳ（Radiological Information System：放射線情報システム）２０と、医用情報処理装置としてのゲートウェイ装置３０と、コンソール４０と、モダリティ５０と、画像管理サーバ６０と、図示しないその他の装置とから構成されており、モダリティ５０を除く各装置は通信ネットワークＮを介してデータ通信可能に接続されている。
【００１８】
電子カルテシステム１０は、診療録データ（患者の病状や診断結果等の情報）や処方データ等を記憶し、管理する情報処理装置である。電子カルテシステム１０は、ＣＰＵ（Central Processing Unit）及びＲＡＭ（Random Access Memory）等により構成される制御部、ハードディスク等の記憶部、外部機器とのデータ通信を行う通信部等を備える。電子カルテシステム１０の記憶部には、少なくとも患者基本情報と、患者のプロファイル情報（以下、患者プロファイル情報という。）と、が対応付けられて格納されている。患者基本情報は、患者固有の情報であって、患者識別情報としての患者ＩＤ、氏名、性別、生年月日等を含む。患者プロファイル情報は、患者の身体、病気に関する特徴を示す情報であって、患者についての感染症情報、身体障害情報、アレルギー情報等を含む。
【００１９】
感染症情報は、患者が罹患している感染症に関する情報であって、感染症の病名（結核、麻疹、インフルエンザ、Ｂ型肝炎、黄色ブドウ球菌等）、症状等を含む。身体障害情報は、患者の身体障害に関する情報であって、身体障害の症状（聴覚障害、意識障害等）等を含む。アレルギー情報は、患者のアレルギーに関する情報であって、アレルギーを誘発する物質（薬物、ラテックス、食物（ソバ、卵、小麦、甲殻類）等）、症状等を含む。電子カルテシステム１０は、ゲートウェイ装置３０から患者プロファイル情報の取得要求を受信した場合、この取得要求に応じた患者プロファイル情報をゲートウェイ装置３０に送信する。
【００２０】
ＲＩＳ２０は、放射線科部門内における診療予約、診断結果のレポート、実績管理、材料在庫管理等の情報管理を行う。ＲＩＳ２０は、ＣＰＵ及びＲＡＭ等により構成される制御部、ハードディスク等の記憶部、外部機器とのデータ通信を行う通信部等を備える。ＲＩＳ２０は、電子カルテシステム１０から受信した画像検査依頼に基づいて、モダリティ５０による検査を依頼するための検査依頼情報を作成する。本実施の形態では、検査依頼情報として、ＤＩＣＯＭ（Digital Imaging and Communications in Medicine）規格に準拠したモダリティワークリスト（Modality WorkList：ＭＷＬ）を作成する場合について説明する。モダリティワークリストには、患者基本情報、撮影条件情報等が含まれる。撮影条件情報には、検査日時、部位、方向、左右、管電圧、管電流、機材等が含まれる。ＲＩＳ２０は、ゲートウェイ装置３０からモダリティワークリストの取得要求を受信した場合、当該取得要求に応じたモダリティワークリストをゲートウェイ装置３０に送信する。
【００２１】
ゲートウェイ装置３０は、電子カルテシステム１０、ＲＩＳ２０、コンソール４０の間でデータを中継する医用情報処理装置である。
【００２２】
図２に、ゲートウェイ装置３０において実行される処理の概要を示す。ゲートウェイ装置３０は、ＲＩＳ２０から患者基本情報、撮影条件情報を含むモダリティワークリストを取得し、モダリティワークリストに電子カルテシステム１０から取得した患者プロファイル情報（感染症情報、身体障害情報、アレルギー情報等）を付加し、患者プロファイル情報が付加されたモダリティワークリストをコンソール４０に送信する。
【００２３】
図３に、ゲートウェイ装置３０の機能的構成を示す。図３に示すように、ゲートウェイ装置３０は、制御部３１、操作部３２、表示部３３、通信部３４、ＲＯＭ（Read Only Memory）３５、記憶部３６を備えて構成され、各部はバス３７により接続されている。
【００２４】
制御部３１は、ＣＰＵ、ＲＡＭ等から構成され、ゲートウェイ装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００２５】
操作部３２は、カーソルキー、文字入力キー、及び各種機能キー等を備えたキーボードと、マウス等のポインティングデバイスを備えて構成され、キーボードに対するキー操作やマウス操作により入力された操作信号を制御部３１に出力する。
【００２６】
表示部３３は、ＬＣＤ（Liquid Crystal Display）により構成され、制御部３１から入力される表示データに基づいて各種画面を表示する。
【００２７】
通信部３４は、ＬＡＮ（Local Area Network）アダプタ、ルータ、ＴＡ（Terminal Adapter）等を備え、通信ネットワークＮを介して接続された電子カルテシステム１０、ＲＩＳ２０、コンソール４０等の外部機器との間でデータの送受信を行う。
【００２８】
ＲＯＭ３５は、不揮発性の半導体メモリ等により構成され、各種処理プログラム、当該プログラムの実行に必要なパラメータやファイル等を記憶している。
【００２９】
記憶部３６は、半導体メモリやハードディスク等から構成される記憶装置である。記憶部３６には、ＲＩＳ２０から取得したモダリティワークリスト、電子カルテシステム１０から取得した患者プロファイル情報等が記憶される。
【００３０】
制御部３１は、通信部３４を介してコンソール４０からモダリティワークリストの取得要求（ＤＩＣＯＭ規格に則ったＣ−ＦＩＮＤ要求）を受信すると、ＲＩＳ２０に対してモダリティワークリストの取得要求を送信する。具体的には、制御部３１は、モダリティ５０のＡＥ（Application Entity）タイトルに基づいて、モダリティ５０において行われる検査についてのモダリティワークリストの取得要求をＲＩＳ２０に送信する。そして、制御部３１は、通信部３４を介してＲＩＳ２０からモダリティワークリストを取得する。
【００３１】
モダリティワークリストは、一又は複数のワークアイテムから構成される。図４に、ワークアイテムの構成を示す。ワークアイテムは、SCHEDULED PROCEDURE STEP（予約済手続きステップ）、REQUESTED PROCEDURE（依頼済手続き）、IMAGING SERVICE REQUEST（画像サービス依頼）、PATIENT（患者）から構成される。一つのワークアイテムは、一検査分の検査依頼情報に相当する。
【００３２】
図５に、ワークアイテムの詳細なデータ構成を示す。
SCHEDULED PROCEDURE STEPは、AE TITLE（ＡＥタイトル）、SCHEDULED PROCEDURE STEP START DATE（予約検査開始日付）、SCHEDULED PROCEDURE STEP START TIME（予約検査開始時刻）、MODALITY（撮影装置種）、SCHEDULED PROTOCOL CODE SEQUENCE（撮影条件）を含む。
REQUESTED PROCEDUREは、STUDY INSTANCE UID（検査インスタンスＵＩＤ）、STUDY DESCRIPTION（検査記述）、STUDY COMMENT（検査コメント）を含む。
IMAGING SERVICE REQUESTは、ACCESSION NUMBER（受付番号）を含む。
PATIENTは、PATIENT ID（患者ＩＤ）、PATIENT NAME（患者名）、PATIENT BIRTH DATE（生年月日）、PATIENT SEX（性別）、PATIENT COMMENT（患者コメント）を含む。
【００３３】
図５に示す例では、ワークアイテム中のPATIENT ID、PATIENT NAME、PATIENT BIRTH DATE、PATIENT SEXが患者基本情報に相当し、ワークアイテム中のSCHEDULED PROTOCOL CODE SEQUENCEが撮影条件情報に相当する。
【００３４】
制御部３１は、ＲＩＳ２０から取得されたモダリティワークリストから患者ＩＤを抽出する。制御部３１は、抽出された患者ＩＤに基づいて、この患者ＩＤに対応する患者プロファイル情報の取得要求を通信部３４を介して電子カルテシステム１０に送信する。そして、制御部３１は、通信部３４を介して電子カルテシステム１０から患者ＩＤに対応する患者プロファイル情報を取得する。具体的には、制御部３１は、ＨＬ７（Health Level Seven）規格に則ったＱＲＹ／ＡＤＲメッセージで患者ＩＤを電子カルテシステム１０に送信し、ＡＤＲメッセージのOBX Segmentから患者プロファイル情報を取得する。
【００３５】
制御部３１は、ＲＩＳ２０から取得されたモダリティワークリストに、電子カルテシステム１０から取得された患者プロファイル情報を付加する。このとき、制御部３１は、モダリティワークリストの中の患者コメント、検査コメント、検査記述のうちいずれかのＤＩＣＯＭタグに、取得された患者プロファイル情報を付加する。
【００３６】
例えば、ＤＩＣＯＭタグ（００１０，４０００）の患者コメント（PATIENT COMMENT）、ＤＩＣＯＭタグ（００３２，４０００）の検査コメント（STUDY COMMENT）、ＤＩＣＯＭタグ（０００８，１０３０）の検査記述（STUDY DESCRIPTION）には、それぞれ、１０２４０文字のテキストを格納することができる。各ＤＩＣＯＭタグを施設で既に使用済みの場合は、患者プロファイル情報の記述先のタグを、使用されていないものに変更すればよい。
【００３７】
コンソール４０は、モダリティ５０を制御する撮影制御装置である。コンソール４０とモダリティ５０とは、専用のケーブルを介してデータ通信可能に接続されている。
【００３８】
図６に、コンソール４０の機能的構成を示す。図６に示すように、コンソール４０は、制御部４１、操作部４２、表示部４３、通信部４４、ＲＯＭ４５、記憶部４６、通信Ｉ／Ｆ（InterFace）４７を備えて構成され、各部はバス４８により接続されている。
【００３９】
制御部４１は、ＣＰＵ、ＲＡＭ等から構成され、コンソール４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００４０】
操作部４２は、カーソルキー、文字入力キー、及び各種機能キー等を備えたキーボードと、マウス等のポインティングデバイスを備えて構成され、キーボードに対するキー操作やマウス操作により入力された操作信号を制御部４１に出力する。
【００４１】
表示部４３は、ＬＣＤにより構成され、制御部４１から入力される表示データに基づいて各種画面を表示する。
【００４２】
通信部４４は、ＬＡＮアダプタ、ルータ、ＴＡ等を備え、通信ネットワークＮを介して接続されたゲートウェイ装置３０、画像管理サーバ６０等の外部機器との間でデータの送受信を行う。
【００４３】
ＲＯＭ４５は、不揮発性の半導体メモリ等により構成され、各種処理プログラム、当該プログラムの実行に必要なパラメータやファイル等を記憶している。
【００４４】
記憶部４６は、半導体メモリやハードディスク等から構成される記憶装置である。記憶部４６には、ゲートウェイ装置３０から取得したモダリティワークリスト、モダリティ５０において生成された医用画像の画像データ（以下、医用画像データという。）が記憶される。
【００４５】
通信Ｉ／Ｆ４７は、モダリティ５０との間でデータ通信を行うためのインターフェースである。
【００４６】
制御部４１は、ゲートウェイ装置３０に対してモダリティワークリストの取得要求（ＤＩＣＯＭ規格に則ったＣ−ＦＩＮＤ要求）を送信する。具体的には、制御部４１は、モダリティ５０のＡＥタイトルに基づいて、モダリティ５０において行われる検査についてのモダリティワークリストの取得要求をゲートウェイ装置３０に送信する。そして、制御部４１は、ゲートウェイ装置３０から患者プロファイル情報が付加されたモダリティワークリストを取得する。制御部４１は、取得されたモダリティワークリストに基づいて、患者基本情報、撮影条件情報、感染症情報、身体障害情報、アレルギー情報等を表示部４３に表示させる。
【００４７】
制御部４１は、通信Ｉ／Ｆ４７を介してモダリティ５０を制御して患者の撮影を行わせ、モダリティ５０において生成された医用画像データを取得する。そして、制御部４１は、医用画像データにＤＩＣＯＭ規格に則って付帯情報を付帯させ、通信部４４を介して画像管理サーバ６０に送信する。
【００４８】
付帯情報は、患者情報、検査情報、シリーズ情報及び画像情報を含む。患者情報は、患者ＩＤ、氏名、性別、生年月日、年齢、身長、体重等の患者に関する情報である。検査情報は、検査を識別する検査インスタンスＵＩＤ、検査日、検査時刻、受付番号、担当医師等の検査に関する情報である。シリーズ情報は、シリーズを識別するシリーズインスタンスＵＩＤ、モダリティ名（検査種）、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。なお、制御部４１は、医用画像データに付帯情報として、さらに、感染症情報、身体障害情報、アレルギー情報等の患者プロファイル情報を付帯させることとしてもよい。
【００４９】
モダリティ５０は、患者の診断対象部位を被写体として撮影を行い、医用画像データを生成する画像生成装置である。モダリティ５０としては、ＣＲ（Computed Radiography）装置、ＣＴ（Computed Tomography）装置、ＭＲＩ（Magnetic Resonance Imaging）装置等が用いられる。
【００５０】
画像管理サーバ６０は、ＰＡＣＳ（Picture Archiving and Communication System）により構成され、コンソール４０から送信される医用画像データ等を記憶し、管理する。画像管理サーバ６０は、外部機器から医用画像データの取得要求を受信した場合、当該取得要求に応じた医用画像データを当該外部機器に送信する。
【００５１】
［医用画像システムの動作］
次に、医用画像システム１００の各装置における動作について説明する。
図７は、電子カルテシステム１０、ＲＩＳ２０、ゲートウェイ装置３０及びコンソール４０において実行される処理を示すラダーチャートである。なお、ゲートウェイ装置３０における処理は、制御部３１と、ＲＯＭ３５に記憶されているプログラムとの協働によるソフトウェア処理によって実現される。また、コンソール４０における処理は、制御部４１と、ＲＯＭ４５に記憶されているプログラムとの協働によるソフトウェア処理によって実現される。
【００５２】
まず、電子カルテシステム１０では、診察医の操作により、患者リストの中から検査対象患者が選択され（ステップＳ１）、撮影条件が指定され、ＲＩＳ２０に対して画像検査が依頼される（ステップＳ２）。そして、ＲＩＳ２０では、電子カルテシステム１０からの画像検査の依頼に基づいて、患者基本情報、撮影条件情報等を含むモダリティワークリストが作成される（ステップＳ３）。作成されたモダリティワークリストは、ＲＩＳ２０の記憶部に記憶される。
【００５３】
その後、コンソール４０の制御部４１により、通信部４４を介してゲートウェイ装置３０にモダリティワークリストの取得要求が送信される（ステップＳ４）。具体的には、制御部４１により、モダリティ５０のＡＥタイトルに基づいて、モダリティ５０において行われる検査についてのモダリティワークリストの取得要求がゲートウェイ装置３０に送信される。
【００５４】
ゲートウェイ装置３０では、通信部３４を介してコンソール４０からモダリティワークリストの取得要求が受信されると、制御部３１により、通信部３４を介してＲＩＳ２０にモダリティワークリストの取得要求が送信される（ステップＳ５）。ＲＩＳ２０では、この取得要求に含まれるＡＥタイトルに対応するモダリティワークリストが記憶部から読み出され、ゲートウェイ装置３０に送信される（ステップＳ６）。そして、ゲートウェイ装置３０の制御部３１により、通信部３４を介してＲＩＳ２０からモダリティワークリストが取得される（ステップＳ７）。取得されたモダリティワークリストは、制御部３１により、記憶部３６に記憶される。
【００５５】
次に、制御部３１により、モダリティワークリストから患者ＩＤが抽出される（ステップＳ８）。次に、制御部３１により、抽出された患者ＩＤに基づいて、電子カルテシステム１０に対して患者プロファイル情報の取得要求が通信部３４を介して送信される（ステップＳ９）。電子カルテシステム１０では、この患者ＩＤに対応する患者プロファイル情報が記憶部から読み出され、ゲートウェイ装置３０に送信される（ステップＳ１０）。そして、ゲートウェイ装置３０の制御部３１により、通信部３４を介して電子カルテシステム１０から患者プロファイル情報が取得される（ステップＳ１１）。取得された患者プロファイル情報は、制御部３１により、記憶部３６に記憶される。
【００５６】
次に、制御部３１により、この患者プロファイル情報がモダリティワークリストに付加される（ステップＳ１２）。具体的には、制御部３１により、モダリティワークリストの中の患者コメント、検査コメント、検査記述のうち予め定められたいずれかのＤＩＣＯＭタグに、患者プロファイル情報が格納される。
【００５７】
次に、ゲートウェイ装置３０の制御部３１により、通信部３４を介して患者プロファイル情報が付加されたモダリティワークリストがコンソール４０に送信される（ステップＳ１３）。コンソール４０では、制御部４１により、通信部４４を介してゲートウェイ装置３０からモダリティワークリストが取得される（ステップＳ１４）。そして、制御部４１により、モダリティワークリストに基づいて、患者基本情報、撮影条件情報、患者プロファイル情報等が表示部４３に表示される（ステップＳ１５）。このように、コンソール４０を操作する診療放射線技師は、患者プロファイル情報を参照することができる。
【００５８】
図８に、コンソール４０の表示部４３に表示されるコンソール画面４３１の例を示す。図８に示すように、コンソール画面４３１には、患者基本情報表示領域４３２、画像情報表示領域４３３、撮影条件情報表示領域４３４、患者プロファイル情報表示領域４３５が含まれる。患者基本情報表示領域４３２は、患者基本情報に基づいて、患者ＩＤ、氏名、性別、生年月日等が表示される領域である。画像情報表示領域４３３は、コンソール４０の制御によりモダリティ５０において撮影された医用画像が表示される領域である。撮影条件情報表示領域４３４は、撮影条件情報に基づいて、撮影部位、撮影方向等が表示される領域である。患者プロファイル情報表示領域４３５は、患者プロファイル情報に基づいて、感染症情報、身体障害情報、アレルギー情報等が表示される領域である。図８の例では、患者プロファイル情報表示領域４３５に、「インフルエンザの疑いあり」という感染症情報、「造影剤アレルギーあり」というアレルギー情報、「車いす」「言語障害重度」という身体障害情報が表示されている。
【００５９】
以上説明したように、ゲートウェイ装置３０によれば、ＲＩＳ２０からモダリティワークリスト（検査依頼情報）を取得し、当該取得されたモダリティワークリストから患者ＩＤを抽出し、当該抽出された患者ＩＤに対応する患者プロファイル情報を電子カルテシステム１０から取得し、モダリティワークリストに患者プロファイル情報を付加することができる。具体的には、ゲートウェイ装置３０は、モダリティワークリストの中の患者コメント、検査コメント又は検査記述のＤＩＣＯＭタグに患者プロファイル情報を付加することができる。
【００６０】
ゲートウェイ装置３０において、モダリティワークリスト（検査依頼情報）に患者プロファイル情報が付加されるので、コンソール４０では、検査時に感染症情報、身体障害情報又はアレルギー情報等の患者プロファイル情報を利用することができる。
【００６１】
また、画像撮影の検査依頼時には患者の感染症検査の結果等が判明していなかった場合であっても、ゲートウェイ装置３０から電子カルテシステム１０に患者プロファイル情報を問い合わせることで、コンソール４０において検査時に最新の患者プロファイル情報を参照することができる。
【００６２】
なお、上記実施の形態における記述は、本発明に係る医用情報処理装置の例であり、これに限定されるものではない。装置を構成する各部の細部構成及び細部動作に関しても本発明の趣旨を逸脱することのない範囲で適宜変更可能である。
【００６３】
例えば、上記実施の形態では、医用画像システム１００においてゲートウェイ装置３０が独立した装置として存在する構成としたが、ゲートウェイ装置３０の機能が、コンソール４０又はＲＩＳ２０に含まれることとしてもよい。
【００６４】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【産業上の利用可能性】
【００６５】
本発明に係る医用情報処理装置及びプログラムは、モダリティによる検査を行う医療分野において利用可能性がある。
【符号の説明】
【００６６】
１０  電子カルテシステム
２０  ＲＩＳ
３０  ゲートウェイ装置
３１  制御部
３２  操作部
３３  表示部
３４  通信部
３５  ＲＯＭ
３６  記憶部
３７  バス
４０  コンソール
４１  制御部
４２  操作部
４３  表示部
４４  通信部
４５  ＲＯＭ
４６  記憶部
４７  通信Ｉ／Ｆ
４８  バス
５０  モダリティ
６０  画像管理サーバ
１００  医用画像システム
４３１  コンソール画面
４３２  患者基本情報表示領域
４３３  画像情報表示領域
４３４  撮影条件情報表示領域
４３５  患者プロファイル情報表示領域
Ｎ  通信ネットワーク
【図１】
2011083607.tif 000003
【図２】
2011083607.tif 000004
【図３】
2011083607.tif 000005
【図４】
2011083607.tif 000006
【図５】
2011083607.tif 000007
【図６】
2011083607.tif 000008
【図７】
2011083607.tif 000009
【図８】
2011083607.tif 000010
【国際調査報告】
2011083607.tif 000011
2011083607.tif 000012